(57)【要約】      （修正有）【課題】パーム・グリップでもグリップが緩まないようにするために、グリップと手の平及び小指、薬指、中指を密着させて包み込むように握れ、グリップした時の違和感がなく、グリップした正常な状態をそのまま維持できる実用的なゴルフ手袋を提供する。【解決手段】ゴルフ用手袋１の小指、薬指、中指の３本の指の手の甲側の反面と同じような形状からなる一体のバンド２の一端に、マジックテープ（登録商標）３を取り付けこのバンドの他端４を、ゴルフ用手袋１の手の甲の小指、薬指、中指の３本の指の付け根辺りに縫い合わせ、このゴルフ用手袋１の手の平の手首側に他方のマジックテープ５を取り付けグリップした正常な状態を維持したまま、これらの３本の指をバンド２で軽く押え、マジックテープで手の平の手首側に止める。【選択図】図１
0003119733.tif 000002
【実用新案登録請求の範囲】
【請求項１】
ゴルフ用手袋（１）の小指、薬指、中指の3本の指の手の甲側の反面と同じような形状からなる一体のバンド（2）の一端に、マジックテープ（登録商標）（3）を取り付け、このバンドの他端（4）を、ゴルフ用手袋（1）の手の甲の小指、薬指、中指の3本の指の付け根辺りに縫い合わせ、このゴルフ用手袋（1）の手の平の手首側に他方のマジックテープ（５）を取り付け、グリップした正常な状態を維持したまま、これらの3本の指をバンド（２）で軽く押え、マジックテープで手の平に止めるようにしてなるゴルフ用手袋。
【考案の詳細な説明】
【技術分野】
【０００１】
本考案は、グリップした時にグリップと手の平及び小指、薬指、中指の3本の指の間に隙間が出来ないよう、密着させてしっかり包み込むように握り、このグリップが緩まないようにするために、ゴルフ用手袋のこれらの3本の指の手の甲側の反面と同じような形状からなる一体のバンドを取り付け、グリップした正常な状態を維持したまま、これらの３本の指をバンドで軽く押えるようにしたゴルフ用手袋に関するものである。
【背景技術】
【０００２】
現在のゴルフのグリップは、手の平でしっかりグリップを包み込むように握るパーム・グリップが主流になっている。このとき、グリップと手の平及び3本の指の間に隙間が出来ないよう、密着させて包み込むように握るのがポイントであるが、日本人は欧米人と比較すると一般的に手が小さく指も短いので、パーム過ぎるとどうしてもグリップが緩む原因となってしまう。
【０００３】
グリップは、小指、薬指、中指の力を緩めないようにすることが大切だが、スイング中に特にトップの位置でこれらの3本の指の力が緩むことが難点であった。
この問題を解決するための手段としてたくさんの考案が開示されているが、いずれも実用的とは言えない。
【０００４】
特開成11―192334は、従来のゴルフ用手袋の手の甲の手袋側端部に取付けられた第一のファスナーに、グリップ強化ストラップの一端を固定し、手の甲部から親指用の穴の付け根の部分で掌部を横切り、小指と薬指の手の甲側に取付けられた第二のファスナーまで手袋の周りに巻きつけ、第二のファスナーに係合させるようなゴルフ用手袋を提供しているが、この構造からわかるようにグリップ強化ストラップで、親指、薬指及び小指が強固に固定され、最初のグリップした状態を維持できない欠点がある。
この発明のもう一つの目的は、身体に障害のあるゴルファーがゴルフクラブの正しいグリップを維持するのを補助するゴルフ用手袋を提供することにあるが、このためには充分にこの目的を達成しているといえるが、普通のゴルファーが使用するためには、下記のような欠点があり実用に供しない。
グリップした時に親指は、真っすぐ伸ばして他方の手で上から押え込むようなグリップが正常であるが、グリップ強化ストラップで手の甲の手首側から、親指、薬指、小指の方向に斜めに引っ張り巻きつけるため、親指の基節に力が加わり親指がずれて、方向性を重視する親指の働きを殺してしまい、ボールの飛ぶ方向がずれる可能性がある。
また、薬指、小指についても正常にグリップした後で斜め方向に引っ張るように押さえ込むため、正常な状態を崩してしまう可能性がある。
【０００５】
実開平７‐９３６９は、手の平側適所と指先先端部位に、互いに脱着自在な雌雄のマジックテープ（登録商標）片を各々固着したことを特徴とするゴルフ用手袋を提供している。
この欠点は、グリップは一度握ったらそれで完成ではなく打つまで、フィットする形になるよう何回か握りなおして完成させるが、この場合一度握るとマジックテープで固定されてしまい微調整をするのに難点がある。
又、最近のプロゴルファーなどには、素手と同じ感覚の薄い手袋が要求されているが、この場合手の平側に固着されたマジックテープで、グリップした時の違和感が否めない。他にも各種形状が開示されているが、同じような問題があり実用的とは言えない。
【考案の開示】
【考案が解決しようとする課題】
【０００６】
本考案は、パーム・グリップでもグリップが緩まないようにするために、グリップと手の平及び小指、薬指、中指を密着させて包み込むように握れ、グリップした時の違和感がなく、グリップした正常な状態をそのまま維持できる実用的なゴルフ手袋を、提供することにある。
【課題を解決するための手段】
【０００７】
構造について説明すると、ゴルフ用手袋（１）の小指、薬指、中指の3本の指の手の甲側の反面と同じような形状からなる一体のバンド（2）の一端に、マジックテープ（3）を取り付けてある。
このバンドの他端（4）を、ゴルフ用手袋（1）の手の甲の小指、薬指、中指の3本の指の付け根辺りに縫い合わせ、このゴルフ用手袋（1）の手の平の手首側に他方のマジックテープ（５）を取り付けてある。
グリップした正常な状態を維持したまま、これらの3本の指をバンド（２）で軽く押え、マジックテープで手の平の手首側に止めるようにしてなるゴルフ用手袋である。
【考案の効果】
【０００８】
本考案は、以上のような構造でこのゴルフ用手袋を利き手にはめ、フイツトする形になるよう何回か握り直して完成させ、グリップを手の平に小指、薬指、中指でしっかり包み込むように握り、グリップしたそのままの状態を、バンドで軽く補助するように押さえ、手の平の手首側に取り付けられたマジックテープで止める。
この考案の第一の特徴は、バンドは、その一端をゴルフ用手袋の手の甲の小指、薬指、中指の付け根辺りに縫い合わせてあり、ここを基点としてこれらの３本の指の基節、中節、末節に沿って、これらの指の力を加えている方向に軽く押さえることが出来、グリップと手の平及び小指、薬指、中指を密着させて包み込むように握ることが出来る。
又、ゴルフ用手袋の小指、薬指、中指の3本の指の手の甲側の反面と同じような形状の一体のバンドでなるため、指を軽く押えた時型崩れすることなく、グリップした正常な状態をそのまま維持できる。
更に、このゴルフ用手袋の手の平の手首側に取り付けられたマジックテープで止めることにより、手先を手の平にしっかりと固定することが出来、トップの位置で手先が開こうとする力を防止する。
第二の特徴は、このゴルフ用手袋を利き手にはめ、フイツトする形になるよう何回か握り直して完成させ、最終的にマジックテープで手の平に止めるだけで、微調整が簡単に出来、手の平及び指の甲などには何も無いため違和感が無く、薄手の手袋にも適用出来る。
又、パターなどでバンドを掛ける必要の無い場合でも力を掛けずに止めて使用でき、いちいちバンドを取り外す必要も無く、更にゴルフ用手袋の小指、薬指、中指の3本の指の手の甲側の反面と同じような形状の一体のバンドでなるため、手の大きさによりバンドの長さを調整する必要も無い。
このようにグリップした正常な状態をそのまま維持出来、グリップした時の違和感がなく、実用的で、よりパームに握ってもグリップが緩むことがないなどの効果がある。
【考案を実施するための最良の形態】
【０００９】
以下、本考案の実施の形態について説明する。
【実施例１】
【００１０】
ゴルフ用手袋（１）の小指、薬指、中指の3本の指の手の甲側の反面と同じような形状からなる一体のバンド（2）の一端に、マジックテープ（3）を取り付けてある。
このバンドの他端（4）を、ゴルフ用手袋（1）の手の甲の小指、薬指、中指の3本の指の付け根辺りに縫い合わせ、このゴルフ用手袋（1）の手の平の手首側に他方のマジックテープ（５）を取り付けてある。
グリップした正常な状態を維持したまま、これらの3本の指をバンド（２）で軽く押え、マジックテープで手の平の手首側に止めるようにしてなるゴルフ用手袋。
【図面の簡単な説明】
【００１１】
【図１】本考案の平面図である。
【図２】本考案の裏面図である。
【符号の説明】
【００１２】
１  ゴルフ用手袋
２  バンド
３  マジックテープ
４  バンドの他端
５  マジックテープ
【図１】
0003119733.tif 000003
【図２】
0003119733.tif 000004